(57)【特許請求の範囲】
【請求項１】
その共重合組成が
(a)フッ化ビニリデン                                        50〜85モル%
(b)テトラフルオロエチレン                                   0〜25モル%
(c)パーフルオロ(メチルビニルエーテル)                       7〜20モル%
(d)CF2=CFO[CF2CF(CF3)O]nCF3 3〜15モル%
(ただし、nは4〜6の整数である)
(e)RfX(Rfは炭素数2〜8の不飽和フルオロ炭化水素基であり、    0.1〜2モル%
基中に1個以上のエーテル結合を有していてもよく、
Xは臭素またはヨウ素である)
であり、数平均分子量Mn(GPC法、テトラヒドロフラン溶媒)が10000〜1000000である含フッ素エラストマー。
【請求項２】
溶液粘度ηsp/c(35℃、1重量%メチルエチルケトン溶液)が0.1〜2dl/gである請求項１記載の含フッ素エラストマー。
【請求項３】
溶液粘度ηsp/c(35℃、1重量%ヘキサフルオロベンゼン溶液)が0.1〜7dl/gである請求項１記載の含フッ素エラストマー。
【請求項４】
一般式 R(Br)n(I)m (ここで、Rは炭素数2〜6の飽和フルオロ炭化水素基または飽和クロロフルオロ炭化水素基であり、nおよびmは0、1または2であり、m+nは2である)で表わされる含臭素および/またはヨウ素化合物の存在下で共重合反応させて得られた請求項１記載の含フッ素エラストマ−。
【請求項５】
含臭素および/またはヨウ素化合物がICF2CF2CF2CF2Iである請求項４記載の含フッ素エラストマー。
【請求項６】
(c)成分と(d)成分との合計共重合量が10モル%以上である請求項１または４記載の含フッ素エラストマー。
【請求項７】
(e)成分化合物がCF2=CFOCF2CF2Br、CF2=CFBr、CF2=CHBr、CF2=CFIまたはCF2=CHIである請求項１または４記載の含フッ素エラストマー。
【請求項８】
-30〜-45℃のガラス転移温度Tgを有する請求項１または４記載の含フッ素エラストマ−。
【請求項９】
請求項１または４記載の含フッ素エラストマー100重量部当リ0.1〜10重量部の有機過酸化物、0.1〜10重量部の多官能性不飽和化合物および2〜20重量部の受酸剤を添加してなる含フッ素エラストマー組成物。
【請求項１０】
さらに、40重量部以下の割合で、平均粒子径が0.5〜50μmでかつアスペクト比が3〜30の偏平状充填剤が添加された請求項９記載の含フッ素エラストマー組成物。
【発明の詳細な説明】
【技術分野】
【０００１】
本発明は、含フッ素エラストマーおよびその組成物に関する。更に詳しくは、成形加工性、低温特性および耐溶剤性にすぐれた加硫物を与え得る含フッ素エラストマーおよびその組成物に関する。
【背景技術】
【０００２】
フッ化ビニリデン-テトラフルオロエチレン-パーフルオロ(メチルビニルエーテル)を主構成単位とする含フッ素エラストマーは、含フッ素エラストマー特有のすぐれた耐熱性や耐溶剤性を有するばかりではなく、良好な低温特性をも有することから、自動車産業を始め種々の産業分野で用いられている。しかしながら、近年の技術進歩に伴う対応の面では、このような含フッ素エラストマーでは対応が困難な場合が多くみられ、特に低温特性およびメタノール等のアルコール性溶剤に対する耐性が厳しく求められるようになってきている。また、近年の排ガス規制等に伴ない、含フッ素エラストマ−に対するさらなる耐熱性、耐溶剤性、低温特性が求められている。
【０００３】
このような課題を解決するために、上記含フッ素エラストマーにおいて、パーフルオロ(メチルビニルエーテル)の代りに側鎖に複数のエーテル結合を有する単量体を共重合させることが提案されている。この場合、得られる共重合体をエラストマー状にするためには、この単量体を多量に共重合させなければならず、これの共重合割合が少ないと半樹脂状となり、低温特性が損われるようになる。実際には、その共重合割合は12〜50モル%とされ、各実施例では25〜32モル%の共重合組成とされている。しかしながら、このような単量体を多量に含む含フッ素エラストマ−は、機械的強度が劣る上、例えば成形時に発泡が生じ易いなど成形加工性もよくないという問題もみられる。
【特許文献１】特公平５−１３９６１号公報
【０００４】
また、自動車燃料用シール材には、完璧な耐燃料油性が求められるため、現在は市販のフッ素ゴムを中心に使用されているが、自動車燃料としては一般に使用されているガソリン以外に、燃焼効率などの面からエーテルやアルコール等の含酸素燃料も使用されるようになってきている。含酸素燃料に対しては、フッ素ゴム中のフッ素含有量を増加させることで対応可能であるが、フッ素含有量を増加させると耐寒性が悪化し、冬季寒冷地で燃料漏れを生ずるおそれがある。逆に、フッ素含有量を減少させると、耐寒性は良好になるが含酸素燃料に対しての耐性がなくなり、これら両者を同時に満足させるのは非常に困難な状況にある。
【発明の開示】
【発明が解決しようとする課題】
【０００５】
本発明の目的は、含フッ素エラストマーが本来有する成形加工性および耐圧縮永久歪特性を損うことなく、低温特性および耐溶剤性にすぐれた加硫物を与え得る含フッ素エラストマーおよび耐寒性、耐燃料油性などにすぐれたその組成物を提供することにある。
【課題を解決するための手段】
【０００６】
かかる本発明の目的は、その共重合組成が
(a)フッ化ビニリデン                                        50〜85モル%
(b)テトラフルオロエチレン                                   0〜25モル%
(c)パーフルオロ(メチルビニルエーテル)                       7〜20モル%
(d)CF2=CFO[CF2CF(CF3)O]nCF3 3〜15モル%
(ただし、nは4〜6の整数である)
(e)RfX(Rfは炭素数2〜8の不飽和フルオロ炭化水素基であり、    0.1〜2モル%
基中に1個以上のエーテル結合を有していてもよく、
Xは臭素またはヨウ素である)
であり、数平均分子量Mn(GPC法、テトラヒドロフラン溶媒)が10000〜1000000である含フッ素エラストマーによって達成される。この含フッ素エラストマーは、好ましくは一般式 R(Br)n(I)m (ここで、Rは炭素数2〜6の飽和フルオロ炭化水素基または飽和クロロフルオロ炭化水素基であり、nおよびmは0、1または2であり、m+nは2である)で表わされる含臭素および/またはヨウ素化合物の存在下で共重合して得られる。
【０００７】
また、この含フッ素エラストマー100重量部当リ0.1〜10重量部の有機過酸化物、0.1〜10重量部の多官能性不飽和化合物および2重量部以上の受酸剤を添加した含フッ素エラストマー組成物は、耐寒性および耐燃料油性にすぐれた架橋物を与えるので、この架橋物は自動車燃料用シール材料として好適に用いられる。
【発明の効果】
【０００８】
本発明に係る含フッ素エラストマーは、それが本来有する耐熱性、成形加工性および耐圧縮永久歪特性に加えて、低温特性(ガラス転移温度)および耐溶剤性(耐メタール性)にすぐれた加硫物を形成し得るので、Oリング、オイルシール、燃料ホース等の成形材料として有効に用いることができる。
【０００９】
特に、この含フッ素エラストマーに瀝青質微粉末または偏平状充填剤を添加して過酸化物架橋したものは、TR10値(JIS K6261準拠)が-30℃以下でありかつメタノール膨潤率(JIS K6258準拠；25℃、168時間)が+50％以内であって、耐寒性、耐圧縮永久歪特性にすぐれているばかりではなく、ガソリンや含酸素燃料が用いられる自動車燃料に対する燃料遮蔽性の点でもすぐれているので、自動車燃料用シール材等として有効に用いることができる。耐燃料油性は、燃料油やアルコールばかりでななく、潤滑油、作動油等の油類や芳香族または脂肪族の炭化水素類についても発揮されるので、これらを収容した容器のシール材等としても用いられる。
【発明を実施するための最良の形態】
【００１０】
含フッ素エラストマ−の共重合組成比は、(a)フッ化ビニリデンが50〜85モル%、好ましくは60〜85モル%、(b)テトラフルオロエチレンが0〜25モル%、好ましくは0〜20モル%、(c)パーフルオロ(メチルビニルエーテル)が7〜20モル%、好ましくは7〜15モル%、(d)前記一般式で表わされるパーフルオロビニルエーテルが3〜15モル%、好ましくは3〜10モル%、(e)前記一般式で表わされる含臭素またはヨウ素不飽和化合物が0.1〜2モル%、好ましくは0.3〜1.5モル%であり、これらの組成比は所望の低温特性および耐溶剤性を有する加硫物を与え得る範囲として選択されたものである。
【００１１】
(a)成分のフッ化ビニリデンには、下記(b)〜(e)成分がぞれぞれ共重合される。
(b)成分のテトラフルオロエチレンをさらに共重合させた場合には、耐溶剤性を著しく改善することができる。ただし、(b)成分の組成比率が大きすぎると低温特性が損われるので、その割合は25モル％以下、好ましくは20モル％以下とするのがよい。また、(b)成分の共重合は、メタノール・ガソリン混合燃料、エタノール・ガソリン混合燃料等の酸素含有化合物混合燃料やメタノール、エタノール等のアルコール燃料に対する耐性を著しく改善させる。
(c)成分のパーフルオロ(メチルビニルエーテル)は、得られる共重合体に柔軟性を付与し、低温特性、特にTR試験におけるTR70値を改善するための必須成分である。
(d)成分のパーフルオロビニルエーテルは、その一般式で表わされる化合物の単一成分を用いてもよいし、あるいは種々のn値を有する2種以上の混合物を用いてもよい。これに類似したパーフルオロビニルエーテルとしては、一般式CF2=CFO〔CF2CF(CF3)O〕mCF2CF2CF3が知られているが(特公平5-13961号公報)、本発明者らの検討結果によれば、この単量体の共重合は低温特性(TR10値)を付与するが、分子量の低下、成形時の発泡等の成形加工性の低下、機械的強度の低下などが認められる。ただし、所望の性質を損わない範囲内、例えば1モル％以下の割合でこの化合物を共重合させることはできる。
前記一般式で表わされる(d)成分のパーフルオロビニルエーテルは、フッ化セシウム触媒、ジグライム溶剤等の存在下にCF3OCF(CF3)COFとヘキサフルオロプロペンオキシドとを反応させ、次いで無水炭酸カリウムとの反応および熱分解反応を行うことによって得られ、生成物はn＝2〜6の混合物であるが、それを分留することによって4〜6のn値を有するパーフルオロビニルエーテルを分離し、これらを単独またはこれらの混合物として、あるいはこれらとn=2〜3のものとの混合物として用いることができる。前記一般式で表わされるn=4〜6のパーフルオロビニルエーテルは、n=2〜3のものと比べて、同じ共重合割合であればよりすぐれた低温特性が示され、またより少ない共重合割合で同等の低温特性を付与することができる(例えば後記実施例1〜3-比較例3、実施例4-比較例5)。
(e)成分の含臭素またはヨウ素化合物としては、例えばCF2=CFOCF2CF2Br、CF2=CFOCF2CF(CF3)OCF2CF2Br、CF2=CFBr、CF2=CHBr、CF2=CFI、CF2=CHI等のRf基が炭素数2〜8の不飽和フルオロ炭化水素基で、1個以上のエーテル結合を有していてもよいものが用いられ(特公昭54-1585号公報参照)、好ましくはCF2=CFOCF2CF2Br、CF2=CFI、CF2=CHIが用いられる。
【００１２】
また、本発明に係る含フッ素エラストマ−共重合体の分子量を調節する目的であるいは成形加工性、特に硬化段階での発泡を抑制する目的で、一般式R(Br)n(I)mで表わされる含臭素および／またはヨウ素化合物の存在下で共重合反応を行うことは非常に有効である(特公昭54-1585号公報参照)。
【００１３】
かかる化合物としては、例えばICF2CF2CF2CF2I、ICF2CF2CF2CF2Br、ICF2CF2Br等が用いられ、特にICF2CF2CF2CF2Iは硬化特性等の面からみて好適である。他の例は、同58-4728号公報等に記載されている。
【００１４】
これらの化合物は連鎖移動剤として作用し、生成する共重合体の分子量を調節する働きをする。また、連鎖移動反応の結果として、分子末端に臭素および／またはヨウ素原子が結合した共重合体が得られ、これらの部位は加硫成形段階において硬化部位として働く。ただし、重合工程でのそれの使用割合が多いと、最終成形品の機械的強度を低下させるので、それの使用割合は全単量体重量に対して約1重量％以下、好ましくは約0.5〜0.01重量％とされる。
【００１５】
さらに、加硫成形品の耐圧縮永久歪特性を改善するために、下記の如きパーフルオロジビニルエーテルを共重合させてもよい。その使用割合は、成形品の機械的物性の点から、全単量体重量に対して約1重量％以下、好ましくは約0.5〜0.1重量％とされる。
CF2=CFOCF2CF(CF3)OCF2CF2OCF=CF2
【００１６】
また、本発明の含フッ素エラストマ−に求められる所望の性質を損わない範囲内において、他の単量体、例えばトリフルオロエチレン、ヘキサフルオロプロペン、クロロトリフルオロエチレン等の含フッ素単量体をさらに共重合させてもよい。
【００１７】
本発明の含フッ素エラストマ−は、水性乳化重合法または水性けん濁重合法によって製造することができる。水性乳化重合法では、水溶性過酸化物を単独であるいはそれと水溶性還元性物質とを組合せたレドックス系のいずれをも反応開始剤系として用いることができる。水溶性過酸化物としては例えば過硫酸アンモニウム、過硫酸カリウム、過硫酸ナトリウム等が、また水溶性還元性物質としては例えば亜硫酸ナトリウム、亜硫酸水素ナトリウム等が用いられる。この際、水性乳化液の安定化剤として、pH調節剤(緩衡剤)、例えばリン酸一水素ナトリウム、リン酸二水素ナトリウム、リン酸一水素カリウム、リン酸二水素カリウム等も用いられる。
【００１８】
乳化重合法に用いられる乳化剤としては、一般にフッ素化カルボン酸塩が用いられ(特公平5-13961号公報参照)、好ましくは
CF3CF2CF2O[CF(CF3)CF2O]nCF(CF3)COONH4
n：1または2
が用いられる。これらの乳化剤は、約1〜30重量%、好ましくは約5〜20重量%の水溶液として用いられる。乳化剤量がこれよりも少ないと、モノマーおよび生成共重合体を水性媒体中に均一に分散させることができず、多すぎると経済的に不利となる。
【００１９】
共重合反応は、約20〜80℃、好ましくは、約25〜60℃の温度で行われる。重合温度が高すぎると、成形加工時に発泡などの問題が発生し、また加硫成形品の耐圧縮永久歪特性も悪化する。また、重合圧力は、一般に約5MPa以下で行われる。
【００２０】
このようにして得られる含フッ素エラストマ−は、-30〜-45℃のガラス転移温度Tgを有する。また、得られる共重合体の分子量は特に限定されないが、数平均分子量Mn(GPC法、テトラヒドロフラン溶媒)が約10000〜1000000、好ましくは約50000〜300000であることが望ましい。また、分子量の指標としての溶液粘度ηsp/c(35℃、1重量%メチルエチルケトン溶液)は、約0.1〜2dl/g、好ましくは約0.2〜1dl/gであることが望ましい。得られる共重合体の組成または分子量によっては、メチルエチルケトンに難溶または不溶となり、1重量％メチルエチルケトン溶液を調製できない場合がある。この場合には、溶媒としてヘキサフルオロベンゼンを用い、1重量％ヘキサフルオロベンゼン溶液(35℃)として溶液粘度ηsp/cを測定した。この溶液粘度ηsp/cの値は、約0.1〜7dl/g、好ましくは0.3〜5dl/gであることが望ましい。
【００２１】
このような性状の含フッ素エラストマーは、従来公知の種々の加硫方法、例えばパーオキサイド加硫法、ポリアミン加硫法、ポリオール加硫法あるいは放射線、電子線などの照射法によって硬化させることができるが、有機過酸化物を用いるパーオキサイド加硫法は、機械的強度にすぐれ、また架橋点の構造が安定した炭素-炭素結合を形成するため耐薬品性、耐摩耗性、耐溶剤性などにすぐれた加硫物を与えるので、特に好ましく用いられる。
【００２２】
パーオキサイド加硫法に用いられる有機過酸化物としては、例えば2,5-ジメチル-2,5-ビス(第3ブチルパーオキシ)ヘキサン、2,5-ジメチル-2,5-ビス(第3ブチルパーオキシ)ヘキシン-3、ベンゾイルパーオキサイド、ビス(2,4-ジクロロベンゾイル)パーオキサイド、ジクミルパーオキサイド、ジ第3ブチルパーオキサイド、第3ブチルクミルパーオキサイド、第3ブチルパーオキシベンゼン、1,1-ビス(第3ブチルパーオキシ)-3,5,5-トリメチルシクロヘキサン、2,5-ジメチルヘキサン-2,5-ジヒドロキシパーオキサイド、α,α′-ビス(第3ブチルパーオキシ)-p-ジイソプロピルベンゼン、2,5-ジメチル-2,5-ジ(ベンゾイルパーオキシ)ヘキサン、第3ブチルパーオキシイソプロピルカーボネート等が挙げられる。
【００２３】
これらの有機過酸化物が用いられるパーオキサイド加硫法では、共架橋剤として多官能性不飽和化合物、例えばトリ(メタ)アリルイソシアヌレート、トリ(メタ)アリルシアヌレート、トリアリルトリメリテート、N,N′-m-フェニレンビスマレイミド、ジアリルフタレート、トリス(ジアリルアミン)-s-トリアジン、亜リン酸トリアリル、1,2-ポリブタジエン、エチレングリコールジアクリレート、ジエチレングリコールジアクリレート等を併用することが好ましい。これらの共架橋剤を併用することにより、よりすぐれた加硫特性、機械的強度、耐圧縮永久歪特性など有する加硫物を得ることができる。
【００２４】
さらに、受酸剤としてハイドロタルサイト化合物や2価金属の酸化物または水酸化物、例えばカルシウム、マグネシウム、鉛、亜鉛などの酸化物または水酸化物を用いることもできる。
【００２５】
パーオキサイド加硫系に配合される以上の各成分は、含フッ素エラストマー100重量部当り、有機過酸化物が約0.1〜10重量部、好ましくは約0.5〜5重量部の割合で、また必要に応じて共架橋剤が約0.1〜10重量部、好ましくは約0.5〜5重量部の割合で、さらに受酸剤は約2重量部以上、好ましくは約3〜20重量部の割合でそれぞれ用いられる。受酸剤の使用割合がこれよりも少ないと、金属に対する耐腐食性が損われるようになる。
【００２６】
加硫に際しては、上記各成分に加えて、従来公知の充填剤、補強剤、可塑剤、滑剤、加工助剤、顔料などを適宜配合することもできる。充填剤または補強剤としてカーボンブラックを用いる場合、一般には含フッ素エラストマー100重量部当り約10〜50重量部程度の割合で用いられる。
【００２７】
さらに、瀝青質微粉末の添加は耐圧縮永久歪特性を改善させ、耐熱性の向上によるシール材等の長寿命化を図ることができ、また偏平状充填剤の添加は燃料油遮断性を改善させ、シール対象とされる自動車燃料等の蒸散を一層抑制することを可能とする。
【００２８】
瀝青質微粉末としては、石炭等の瀝青質物質を粉砕し、平均粒径を約10μm以下、一般には約1〜10μmであって、好ましくは約3〜8μmの大きさに微粉末化したものが用いられる。これ以上の平均粒径のものを用いると、ゴムの破断強度や破断伸びが低下し、強度面での実用性が損われるようになる。実際には、Keystone Filler & Mfg社製Mineral Black 325BA等の市販品がそのまま用いられる。これらの瀝青質微粉末は、含フッ素エラストマー100重量部当り約40重量部以下、好ましくは約5〜30重量部の割合で用いられる。これ以上の割合で用いられると、組成物の粘度が高くなりすぎ、混練時や成形時に支障を来すようになる。
【００２９】
また、偏平状充填剤としては、例えばクレー、マイカ、グラファイト、二硫化モリブデン等の少くとも一種であって、平均粒子径が約0.5〜50μm、好ましくは約5〜30μmで、アスペクト比が3以上、好ましくは5〜30のものが用いられる。平均粒子径またはアスペクト比がこれ以下のものを用いると、燃料遮蔽性の向上がみられない。一方、これ以上の平均粒子径のものを用いると、ゴムの破断強度や破断伸びが低下して、強度面での実用性が損われるようになる。これらの偏平状充填剤は、含フッ素エラストマー100重量部当り約40重量部以下、好ましくは約5〜30重量部の割合で用いられる。これ以上の割合で用いられると、組成物の粘度が上昇して混練できなくなり、さらに架橋後のシール材が非常に硬くなってシール性が損われるようになる。
【００３０】
以上の各成分は、ロール混合、ニーダ混合、バンバリー混合、溶液混合など一般に用いられる混合法によって混練され、混練された混練物は、一般に約100〜250℃で約1〜60分間程度行われるプレス加硫によって加硫され、好ましくはさらに約150〜250℃で約30時間以内のオーブン加硫(二次加硫)が行われる。
【００３１】
得られた含フッ素エラストマーは、有機過酸化物架橋後に以下に示される低温特性を発現する加硫物を与える。
-43℃≦TR10＜-30℃＜TR70≦-20℃
ここでTR10、TR70値は、TRテストでサンプルを50%伸長し、ガラス転移温度Tg以下としてガラス化させた後、徐々に温度を上げていくと歪みが緩和し、初期伸長に対して10%または70%回復した温度を示している。
【００３２】
また、前記TR10、TR70についての条件を満足させるためには、前記(c)成分のパーフルオロ(メチルビニルエーテル)と(d)成分のパーフルオロビニルエーテルとの組成合計量が10モル%以上、好ましくは15モル%以上とすることが望ましい。これらの各成分組成合計量が10モル%以下では、得られる共重合体が半樹脂状になったり、低温特性、特にTR70値が悪化するようになる。
【実施例】
【００３３】
次に、実施例について本発明を説明する。
【００３４】
参考例
攪拌機を備えた容量10Lのステンレス鋼製オートクレーブ中に、フッ化セシウム36g、ジグライム360gおよびCF3OCF(CF3)COF 4.18kgを仕込み、一夜攪拌した後-10℃に冷却し、そこにヘキサフルオロプロペンオキシド12.0kgを150g/時間の供給速度で仕込んだ。供給終了後、この温度を保ちながら2時間攪拌を継続した後室温に戻し、攪拌を停止して静置した。その後、オートクレーブの下部取出口より、フルオロカーボン相のみを注意深く抜き取った。得られたフルオロカーボン相15.9kgを、ガスクロマトグラフィー(GC)により分析した結果、下記の組成を有していた。
CF3O〔CF(CF3)CF2O〕nCF(CF3)COF
n    GC(％)  
2            1   
3           27  
4           50  
5           20  
6            2
【００３５】
得られたフルオロカーボン相の1.2kgおよび無水炭酸カリウム1.2kgを、攪拌機を備えた容量10Lのガラス製反応容器に仕込み、130℃に加熱した。炭酸ガスの発生が終了した後、内部を1Torr迄減圧し、未反応のフルオロカーボン混合物および極く少量のジグライム(合計30g)を回収した。得られた生成物1.0kgをGCにより分析した結果、以下の組成を有していた。ビニル化反応は200〜270℃で行われ、生成した液体はコールドトラップにより回収した。ビニル化反応は、ほぼ定量的(90％以上)に進行するため、反応の前後で組成は殆ど変化しない。
CF2＝CFO〔CF2CF(CF3)0〕nCF3
n    GC(％)  
2            1   
3           27  
4           50  
5           20  
6            2
【００３６】
得られたパーフルオロビニルエーテルを蒸留し、それぞれのn値を有する化合物を単離した。各化合物の同定は、19F-NMR(ケミカルシフトはCFCl3基準)によって行われた。
(n=2)MPr2VE
0004785713.tif 000002
δ/ppm
Fa    -114.2
Fb    -121.6
Fc    -135.2
Fd     -83.5
Fe    -143.3
Ff     -78.9
Fg    -144.4
Fh     -52.8
(n=3)MPr3VE
0004785713.tif 000003
δ/ppm
Fa    -114.2
Fb    -121.6
Fc    -135.3
Fd     -83.5
Fe    -143.2
Ff     -78.9
Fg    -144.5
Fh     -52.9
(n=4)MPr4VE
0004785713.tif 000004
δ/ppm
Fa    -114.2
Fb    -121.6
Fc    -135.3
Fd     -83.4
Fe    -143.1
Ff     -78.8
Fg    -144.5
Fh     -52.9
(n=5)MPr5VE
0004785713.tif 000005
δ/ppm
Fa    -114.1
Fb    -121.7
Fc    -135.3
Fd     -83.5
Fe    -143.1
Ff     -78.9
Fg    -144.5
Fh     -52.9
(n=6)MPr6VE
0004785713.tif 000006
δ/ppm
Fa    -114.1
Fb    -121.6
Fc    -135.3
Fd     -83.5
Fe    -143.1
Ff     -78.8
Fg    -144.5
Fh     -52.9
【００３７】
比較例１
容量500mlのステンレス鋼製オートクレーブ内を窒素ガスで置換し、脱気後下記反応媒体を仕込んだ。
界面活性剤CF3CF2CF2OCF(CF3)CF2OCF(CF3)COONH4         30g
Na2HPO4・12H20                                      0.5g
イオン交換水                                        250ml
【００３８】
オートクレーブ内を再び窒素ガスで置換し、脱気後以下の反応原料を仕込んだ。
フッ化ビニリデン[VdF]                              40g(68.1%)
テトラフルオロエチレン[TFE]                         6g(6.5%)
パーフルオロ(メチルビニルエーテル)[FMVE]           24g(15.8%)
CF2=CFOCF2CF(CF3)OCF2CF(CF3)OCF3 [MPr2VE]          40g(8.8%)
CF2=CFOCF2CF2Br [FBrVE]                             2g(0.8%)
ICF2CF2CF2CF2I [DIOFB]                            0.5g
なお、カッコ内の百分率はモル%である。
【００３９】
次いで、オートクレーブ内部の温度を50℃とし、そこに亜硫酸水素ナトリウム0.01gおよび過硫酸アンモニウム0.05gをそれぞれ0.3重量%水溶液として加え、重合反応を開始させた。2時間反応を行った後冷却し、残ガスを排出して乳化液を取出し、これに5重量%塩化カルシウム水溶液を加えて重合物を凝析させ、水洗、乾燥して、下記組成(19F-NMRによる)のエラストマー状共重合体を108g得た。
VdF                          71モル%
TFE                           7モル%
FMVE                         14モル%
MPr2VE                      7.2モル%
FBrVE                       0.8モル%
【００４０】
このエラストマー状共重合体100部(重量、以下同じ)に、
MTカーボンブラック(キャンキャブ製品サーマックスN990)   30部
トリアリルイソシアヌレート(日本化成製品TAIC M60)        6部
有機過酸化物(日本油脂製品パーヘキサ25B-40)            1.4部
ZnO                                                     4部
を加え、2本ロールミルで混和し、得られた硬化性組成物を180℃で10分間圧縮成形して厚さ2mmのシートおよびOリング(P24)を得、さらに200℃で10時間の二次加硫(オーブン加硫)を行った。
【００４１】
これの加硫の際および加硫物について、次の各試験を行った。
硬化試験：モンサント・ディスク・レオメータを使用し、180℃でのt10,t90,
ML,MHの値を測定  
常態物性：JIS K6250,6253に準拠
圧縮永久歪：ASTM D395 Method Bに準拠して、P24 Oリングについて200℃、70時間の
値を測定
低温特性：ASTM D1329に準拠して、TR10,TR70値を測定
メタノール膨潤試験：25℃のメタノール中に70時間浸せき後の体積変化率を測定
【００４２】
比較例２〜６
比較例1において、反応媒体、反応原料および反応条件が下記表1の如くに変更された。この表1には、生成エラストマー共重合体の生成量、共重合体組成、溶液粘度ηsp/cおよびガラス転移温度Tg(SEIKO I SSC5200使用)が併記されている。
表１                         
比較例             
2   3   4   5   6  
[反応媒体]                                             
界面活性剤     (g)    40     40     40     40     40 
Na2HPO4・12H2O (g)   0.5    0.5    0.5    0.5    0.5    
イオン交換水  (ml)   250    250    250    250    250  
[反応原料]                                             
VdF            (g)    40     40     40     46     46  
TFE            (g)     6      6      6      -      -  
FMVE           (g)    20     24     16     24     24  
MPr2VE         (g)    26      -      -     40      -  
MPr3VE         (g)    14     40     48      -     40  
FBrVE          (g)     2      2      2      2      2  
DIOFB          (g)   0.5    0.5    0.5    0.5    0.5  
[反応条件]                                             
温度          (℃)    50     50     50     50     50  
時間         (hrs)    14     17     20     15     20  
[共重合体量]                                           
生成量         (g)   110    107    106    103    105  
[共重合体組成]                                         
VdF        (モル%)    72     72     75     84     83 
TFE        (モル%)     7      7      7      -      -  
FMVE       (モル%)    14     16     11     10     11  
MPr2VE     (モル%)   4.2      -      -    5.3      -  
MPr3VE     (モル%)     2    4.2    6.2      -    5.2  
FBrVE      (モル%)   0.8    0.8    0.8    0.7    0.8  
[溶液粘度]                                             
ηsp/c      (dl/g)  0.60   0.55   0.51   0.65   0.56  
[ガラス転移温度]                                      
Tg            (℃) -33.5  -34.2  -35.0  -36.6  -36.9
【００４３】
また、比較例2〜6で得られたエラストマー状共重合体を用い、比較例1と同様に硬化性組成物の調製および加硫を行い、その加硫の際および加硫物について行われた各試験での測定結果は、比較例1における測定結果と共に、次の表2に示される。
表２                                
比較例                
測定項目        1     2     3     4     5     6   
[硬化試験]                                               
t10          (分)   0.5   0.5   0.6   0.6   0.6   0.6   
t90          (分)   1.4   1.6   1.6   1.8   1.8   2.5   
ML        (dN・m)   0.8   0.6   0.7   0.4   0.6   1.1  
MH        (dN・m)  13.6  13.9  12.5  11.4  13.3  15.5  
[常態物性]                                               
硬さ                 72    68    67    68    65    67  
100%モジュラス(MPa)     -     -     -     -   5.0   6.5  
破断時強さ  (MPa)   9.6  10.4   8.4   7.2  11.6  10.7  
破断時伸び    (%)   160   160   150   150   170   150  
比重               1.87  1.86  1.86  1.87  1.87  1.87  
[圧縮永久歪]                                             
200℃、70時間  (%)    39    27    30    29    34    33  
[低温特性]                                               
TR10         (℃) -31.7 -32.5 -33.5 -34.3 -33.9 -35.8 
TR70         (℃) -22.8 -24.2 -23.3 -20.1 -23.3 -24.7 
[メタノール膨潤試験]                                     
体積変化率    (%)   +21   +13   +20   +15   +39   +33  
【００４４】
実施例１〜４、比較例７
比較例1において、亜硫酸ナトリウム量が0.04gに、過硫酸アンモニウム量が0.2gにそれぞれ変更され、また反応媒体、反応原料および反応条件が下記表3の如くに変更された。この表3には、生成エラストマー共重合体の生成量、共重合体組成、溶液粘度ηsp/cおよびガラス転移温度Tgが併記されている。なお、比較例7では、得られた共重合体がメチルエチルケトンに完全に溶解しないため、溶液粘度ηsp/cの測定をすることができなかった(後述のヘキサフルオロベンゼン溶液としての測定は実施していない)。
表３                                  
実施例            比較例
1     2     3     4      7  
[反応媒体]
界面活性剤     (g)     40      40      40       40       40
Na2HPO4・12H2O (g)    0.5     0.5     0.5      0.5      0.5
イオン交換水  (ml)    200     200     200      200      200
[反応原料]
VdF           (g)      42      42      42       42       42
FMVE          (g)      28      24      20       18        -
MPr4VE        (g)      44      44      44       50       68
FBrVE         (g)       2       2       2        2        2
DIOFB         (g)     0.5     0.5     0.5      0.5      0.5
[反応条件]
温度          (℃)     50     50     50        50        50
時間         (hrs)     10     10     10        10        10
[共重合体量]
生成量         (g)    114    110    108       115       110
[共重合体組成]
VdF        (モル%)     78     80     81        82        90
FMVE       (モル%)     17     15     14        12         -
MPr4VE     (モル%)    4.2    4.2    4.2       5.3         9
FBrVE      (モル%)    0.8    0.8    0.8       0.7       1.0
[溶液粘度]
ηsp/c      (dl/g)   0.41   0.31   0.45      0.40      測定
不可
[ガラス転移温度]
Tg           (℃)   -38.6  -39.2  -39.6     -40.2     -41.0
【００４５】
また、実施例1〜4および比較例7で得られたエラストマー状共重合体を用い、比較例1と同様に硬化性組成物の調製および加硫を行い、その加硫の際および加硫物について行われた各試験での測定結果は、次の表4に示される。
表４                                  
実施例              比較例
測定項目        １     ２     ３     ４     ７  
[硬化試験]                                                     
t10          (分)    0.5      0.5      0.5      0.5      0.5
t90          (分)    1.7      1.7      1.7      1.7      2.0
ML        (dN・m)    0.4      0.4      0.5      0.3      0.3
MH        (dN・m)   10.0     10.0      9.9      9.7      9.0
[常態物性]                                                     
硬さ                  67       65       66       68       77
100%モジュラス(MPa)    5.8      5.1      5.5      6.1      8.0
破断時強さ  (MPa)   11.8     10.1     12.1     10.9      9.5
破断時伸び    (%)    160      150      150      150      120
比重                1.87     1.87     1.86     1.86     1.87
[圧縮永久歪]                                                   
200℃、70時間  (%)     32       30       31       31       37
[低温特性]                                                     
TR10         (℃)  -36.9    -37.5    -37.1    -37.8    -38.7
TR70         (℃)  -26.4    -28.4    -26.0    -26.0     -1.0
[メタノール膨潤試験]
体積変化率    (%)    +32      +26      +34      +24      +13
【００５１】
比較例８
比較例1において、反応媒体、反応原料および反応条件が下記表5の如くに変更された。この表5には、生成エラストマー共重合体の生成量、共重合体組成、溶液粘度ηsp/cおよびガラス転移温度Tgが併記されている。
表５ 
比較例８
[反応媒体]                           
界面活性剤     (g)         30        
Na2HPO4・12H2O (g)        0.5         
イオン交換水  (ml)        220     
[反応原料]                            
VdF            (g)         42     
FMVE           (g)         24     
MPr2VE         (g)         44     
FBrVE          (g)        1.0     
DIOFB          (g)        0.5     
[反応条件]                          
温度          (℃)         50     
時間         (hrs)         12     
[共重合体量]
生成量         (g)        110     
[共重合体組成]                      
VdF        (モル%)         80     
FMVE       (モル%)         13     
MPr2VE     (モル%)        6.6     
FBrVE      (モル%)        0.4       
[溶液粘度]                           
ηsp/c      (dl/g)       0.62       
[ガラス転移温度]
Tg            (℃)      -35.2       
【００５２】
また、比較例8で得られたエラストマー状共重合体を用い、比較例1と同様に硬化性組成物の調製および加硫を行い、その加硫の際および加硫物について行われた各試験での測定結果は、次の表6に示される。
表６ 
測定項目      比較例８ 
[硬化試験]                         
t10          (分)        0.5    
t90          (分)        1.7    
ML        (dN・m)        0.4    
MH        (dN・m)       11.0    
[常態物性]                         
硬さ                      67    
100%モジュラス(MPa)        3.7    
破断時強さ  (MPa)        9.3    
破断時伸び    (%)        180    
比重                    1.87    
[圧縮永久歪]                      
200℃、70時間  (%)         39    
[低温特性]                        
TR10         (℃)      -33.1    
TR70         (℃)      -23.8    
[メタノール膨潤試験]              
体積変化率    (%)        +28    
【００５３】
実施例５〜７
比較例1において、反応媒体、反応開始剤、反応原料および反応条件が下記表7の如くに変更された。この表7には、生成エラストマー共重合体の生成量、共重合体組成、溶液粘度ηsp/cおよびガラス転移温度Tgが併記されている。得られた共重合体が、35℃の1重量％メチルエチルケトン溶液として完全に溶解しない場合には、35℃の1重量％ヘキサフルオロベンゼン溶液として溶液粘度ηsp/cの値を測定し、カッコを付してその値を表示した。
表７ 
実施例５ 実施例６ 実施例７
[反応媒体]
界面活性剤          (g)         40          40          40
Na2HPO4・12H2O      (g)        0.5         0.5         0.5
イオン交換水       (ml)        180         180         180
[反応開始剤]
過硫酸アンモニウム  (g)       0.25        0.25        0.25
Na2SO3              (g)       0.05        0.05        0.05
[反応原料]
VdF                 (g)         24          24          24
TFE                 (g)         12          12          12
FMVE                (g)         14          14          14
MPr5VE              (g)         64          72          72
FBrVE               (g)          2         2.5         2.5
DIOFB               (g)         −        0.07        0.14
[反応条件]
温度               (℃)         33          33          33
時間              (hrs)         12          12          12
[共重合体量]
生成量              (g)        105         113         111
[共重合体組成]
VdF             (モル%)         62          61          61
TFE             (モル%)         16          16          16
FMVE            (モル%)         11          11          11
MPr5VE          (モル%)       10.0        10.7        10.7
FBrVE           (モル%)        1.0         1.3         1.3
[溶液粘度]
ηsp/c           (dl/g)      (1.38)      (0.73)      (0.64)
[ガラス転移温度]
Tg                 (℃)      -40.9       -41.9       -42.6
【００５４】
実施例5〜7で得られたエラストマー状共重合体を用い、比較例1と同様に硬化性組成物の調製および加硫を行い、その加硫の際および加硫物について(ただし、有機過酸化物量は2部に、二次加硫条件は230℃、20時間に変更)行われた各試験での測定結果は、次の表8に示される。
表８ 
測定項目      実施例５ 実施例６ 実施例７
[硬化試験]
t10          (分)        0.5           0.5           0.5
t90          (分)        2.1           1.9           1.9
ML        (dN・m)        2.6           1.1           0.7
MH        (dN・m)       11.4          10.0           9.5
[常態物性]
硬さ                      62            60            61
100%モジュラス(MPa)        4.3           3.7           4.8
破断時強さ  (MPa)       11.5          10.5           9.7
破断時伸び    (%)        180           190           170
比重                    1.90          1.90          1.90
[圧縮永久歪]
200℃、70時間  (%)         27            35            36
[低温特性]
TR10         (℃)      -38.3         -39.6         -40.6
TR70         (℃)      -24.6         -29.4         -29.0
[メタノール膨潤試験]
体積変化率    (%)       +4.0          +4.2          +8.1
【００５５】
実施例８〜１２
比較例1において、反応媒体、反応開始剤、反応原料および反応条件が下記表9の如くに変更された。この表9には、生成エラストマー共重合体の生成量、共重合体組成、溶液粘度ηsp/cおよびガラス転移温度Tgが併記されている。なお、ITrFEは
CF2=CFI
である。また、実施例8〜10および12の溶液粘度ηsp/cは、前記と同様の理由で1重量％ヘキサフルオロベンゼン溶液(35℃)として測定した。
表９ 
実施例                
８     ９    １０   １１   １２ 
[反応媒体]
界面活性剤          (g)     40      40      40      30      40 
Na2HPO4・12H2O      (g)    0.5     0.5     0.5     0.5     0.5
イオン交換水       (ml)    200     170     200     170     200
[反応開始剤]
過硫酸アンモニウム  (g)   0.25    0.25    0.25    0.13    0.25
Na2SO3              (g)   0.05    0.05    0.05    0.02    0.05
[反応原料]
VdF                 (g)     26      24      30      34      24
TFE                 (g)     12      14       8      24      14
FMVE                (g)     14      14      14      32      14
MPr3VE              (g)     −      12      −      −      −
MPr4VE              (g)     −      40      64      40      −
MPr5VE              (g)     72      12      −      −      72
FBrVE               (g)      2       2       2     1.5      −
DIOFB               (g)     −      −      −    0.25    0.15
ITrFE               (g)     −      −      −      −    0.50
[反応条件]
温度               (℃)     33      33      50      50      40
時間              (hrs)     12      12      12      12      12
[共重合体量]
生成量              (g)    111     103     112     124     103
[共重合体組成]
VdF             (モル%)     65      62      70      57      61
TFE             (モル%)     16      18      10      20      19
FMVE            (モル%)     10      10      10      18      10
MPr3VE          (モル%)     −       2      −      −      −
MPr4VE          (モル%)     −       6       9     4.5      −
MPr5VE          (モル%)      8       1      −      −     9.6
ITrFE           (モル%)     −      −      −      −     0.4
FBrVE           (モル%)      1       1       1     0.5      −
[溶液粘度]
ηsp/c           (dl/g)  (3.36)  (4.63)  (4.83)   0.55   (0.67)
[ガラス転移温度]
Tg                 (℃)  -41.9   -39.5   -40.0   -35.6   -44.1
【００５６】
実施例8〜12で得られたエラストマー状共重合体を用い、比較例1と同様に硬化性組成物の調製および加硫を行い、その加硫の際および加硫物について(ただし、実施例8〜9での有機過酸化物量は2部に、実施例8〜10での二次加硫条件は230℃、20時間に、実施例11での圧縮成形温度は170℃、二次加硫時間は4時間にそれぞれ変更)の各試験での測定結果は、次の表10に示される。
表10 
実施例                
測定項目         ８     ９    １０   １１   １２ 
[硬化試験]
t10          (分)      0.6     0.5     0.5     0.5     0.5 
t90          (分)      2.4     2.4     2.4     1.6     1.9
ML        (dN・m)      1.3     1.7     1.7     2.4     0.4
MH        (dN・m)      8.2     9.6    10.0    18.5     7.4
[常態物性]
硬さ                    59      61      60      68      62
100%モジュラス(MPa)      3.0     3.4     2.8     5.1     5.4
破断時強さ  (MPa)      9.4     9.2    10.1    13.5     7.0
破断時伸び    (%)      200     190     220     200     120
比重                  1.90    1.90    1.89    1.88    1.89
[圧縮永久歪]
200℃、70時間  (%)       31      31      28      28      27
[低温特性]
TR10         (℃)    -39.1   -37.0   -37.9   -33.7   -41.0
TR70         (℃)    -24.1   -23.4   -28.8   -26.9   -28.3
[メタノール膨潤試験]
体積変化率    (%)     +3.3    +3.0    +5.1    +3.4    +3.2
【００５７】
実施例１３〜１５
比較例1において、反応媒体、反応開始剤、反応原料および反応条件が下記表11の如くに変更された。この表11には、生成エラストマー共重合体の生成量、共重合体組成、溶液粘度ηsp/cおよびガラス転移温度Tgが併記されている。なお、BDFEは
CF2=CHBr
である。また、実施例13の溶液粘度ηsp/cは、前記と同様の理由で1重量％ヘキサフルオロベンゼン溶液(35℃)として測定した。
表11 
実施例        
１３   １４   １５ 
[反応媒体]
界面活性剤          (g)     40      40      40 
Na2HPO4・12H2O      (g)    0.5     0.5     0.5 
イオン交換水       (ml)    170     210     210 
[反応開始剤]
過硫酸アンモニウム  (g)   0.25    0.45    0.35 
NaHSO3              (g)   0.05    0.09    0.07 
[反応原料]
VdF                 (g)     30      28      30 
TFE                 (g)      8      10       8 
FMVE                (g)     14      20      14 
MPr4VE              (g)     −      −      64 
MPr5VE              (g)     72      30      − 
MPr6VE              (g)     −      10      − 
FBrVE               (g)    2.5     2.5      − 
BDFE                (g)     −      −     1.0 
DIOFB               (g)     −    0.08     0.1 
[反応条件]
温度               (℃)     35      50      50 
時間              (hrs)     12      12      12 
[共重合体量]
生成量              (g)    115      89     109 
[共重合体組成]
VdF             (モル%)     70      66      70 
TFE             (モル%)     10      13      10 
FMVE            (モル%)     10      15      10 
MPr4VE          (モル%)     −      −       9 
MPr5VE          (モル%)      9       4      − 
MPr6VE          (モル%)     −       1      − 
FBrVE           (モル%)      1       1      − 
BDFE            (モル%)     −      −       1 
[溶液粘度]
ηsp/c           (dl/g)  (1.23)   0.33    0.10
[ガラス転移温度]
Tg                 (℃)  -42.5   -38.5   -41.6 
【００５８】
実施例13〜15で得られたエラストマー状共重合体を用い、比較例1と同様に硬化性組成物の調製および加硫を行い、その加硫の際および加硫物について(ただし、有機過酸化物量は2部に、二次加硫条件は230℃、20時間にそれぞれ変更)の各試験での測定結果は、次の表12に示される。なお、実施例15では、成形時厚さ2mmのシート表面に極くわずかの発泡が認められた。
表12 
実施例        
測定項目        １３   １４   １５ 
[硬化試験]
t10          (分)      0.5     0.5     0.5 
t90          (分)      2.6     2.1     3.0 
ML        (dN・m)      2.0     2.1     0.3 
MH        (dN・m)     10.7    16.4     6.4 
[常態物性]
硬さ                    59      66      58 
100%モジュラス(MPa)      4.5     8.1     3.1 
破断時強さ  (MPa)     11.3    13.9     8.2 
破断時伸び    (%)      180     140     200 
比重                  1.89    1.88    1.88 
[圧縮永久歪]
200℃、70時間  (%)       24      25      41 
[低温特性]
TR10         (℃)    -40.3   -36.6   -38.5 
TR70         (℃)    -28.7   -27.7   -22.0 
[メタノール膨潤試験]
体積変化率    (%)     +4.3    +9.8    +6.0